(57)【要約】【課題】  鉄筋コンクリート袖壁をコンクリート躯体に対して二次構造物として、コンクリート躯体に対して熱的に遮断して片持ち支持で突設し、コンクリート袖壁から耐力壁外壁への熱橋作用を抑制し、且つ、コンクリート袖壁の設計の自由度を向上させる。【解決手段】  外断熱複合パネル２でコンクリート外壁Ｗを外断熱に被覆し、鉄筋コンクリート袖壁５をコンクリート外壁Ｗに対して、断熱層３Ｂで熱的に遮断して突設し、支持棒鋼のＺ筋１を断熱層に貫通保持して、一半の突出部ＡＰをコンクリート躯体ＣＦ内で、他半の突出部ＢＰをコンクリート袖壁５内で、コンクリート打設で一体化固定し、Ｚ筋１で鉄筋コンクリート袖壁５を、コンクリート躯体ＣＦに対して片持ち支持する。【選択図】    図１
2007262667.tif 000002
【特許請求の範囲】
【請求項１】
鉄筋コンクリート造のコンクリート外壁（Ｗ）から鉄筋コンクリート造の袖壁（５）を片持ち支持形態で突出付設した外壁構造であって、外壁（Ｗ）は、断熱層（２Ｂ）と外装下地材（２Ａ）とを層着した複合パネル（２）によって外断熱被覆し、袖壁（５）は、基端（５ｂ）を外壁表面（Ｗｆ）と断熱層（３Ｂ）で熱的に遮断し、且つ、断熱層（３Ｂ）の挿通用孔（Ｈ１）を貫通するＺ筋（１）の、一半の突出部（ＡＰ）がコンクリート躯体（ＣＦ）内で、他半の突出部（ＢＰ）が袖壁（５）内で、コンクリート打設により一体化固着して、Ｚ筋（１）のみによって片持ち支持されている、袖壁を備えた外壁構造。
【請求項２】
袖壁（５）を熱的に遮断する断熱層（３Ｂ）は、厚さ（ＴＢ）が複合パネル（２）の断熱層（２Ｂ）の厚さ（ＴＢ）と実質上等厚であり、且つ、断熱層（３Ｂ）と断熱層（２Ｂ）とは当接連続している、請求項１の外壁構造。
【請求項３】
Ｚ筋（１）は、Ｚ上端筋（１Ｕ）とＺ下端筋（１Ｄ）とを、水平上辺部（１Ｕ´）、中間傾斜部（１Ｓ）及び水平下辺部（１Ｄ´）から成るＺトラス筋（１Ｍ）で、上下方向に応力中心距離（Ｌ１５）を保って一体化固着したものである、請求項１又は２の外壁構造。
【請求項４】
袖壁（５）を熱的に遮断する断熱層（３Ｂ）は、幅（ＷＢ）が袖壁（５）の壁厚（Ｔ５）より若干大であり、幅（ＷＢ）の中央の上下適所に間隔配置した縦方向長孔形態の挿通用孔（Ｈ１）にＺ筋（１）を貫通保持した、請求項１、又は２、又は３の外壁構造。
【請求項５】
Ｚ筋（１）の中間傾斜部（１Ｓ）が、断熱層（３Ｂ）内で、厚さ（ＴＢ）全域に亘って傾斜配置して、断熱層（３Ｂ）に剛構造機能を付与している、請求項３又は４の外壁構造。
【請求項６】
Ｚ筋（１）は、突出部（ＡＰ，ＢＰ）では錆止め塗料（１Ａ）が塗布され、断熱層（３Ｂ）の挿通用孔（Ｈ１）内では、耐火塗料（１Ａ）が塗布され、且つ、断熱耐火材（３Ｅ）で充填被覆されている、請求項１乃至５のいずれか１項の外壁構造。
【請求項７】
Ｚ筋（１）は、コンクリート躯体（ＣＦ）内固着用の突出部（ＡＰ）が屈曲してコンクリート躯体（ＣＦ）内で固定されている、請求項１乃至６のいずれか１項の外壁構造。
【請求項８】
コンクリート外壁（Ｗ）を、コンクリート外壁（Ｗ）より透湿抵抗の小さな発泡プラスチック系断熱層（２Ｂ）と、該断熱層（２Ｂ）より透湿抵抗の小さな外装下地材（２Ａ）とを層着一体化した複合パネル（２）で被覆した、請求項１乃至７のいずれか１項の外壁構造。
【請求項９】
マグネシウムセメント板（２Ａ）と発泡プラスチック系断熱層（２Ｂ）とを層着した透湿性外断熱用の複合パネル（２）を、マグネシウムセメント板（２Ａ）を外面にして外壁外側型枠（Ｆ０）として立設し、慣用の外壁内側型枠（Ｆ１）と共に外壁型枠（ＦＷ）を構築し、袖壁（５）の配置部位では、複合パネル（２）の断熱層（２Ｂ）と同厚の断熱層（３Ｂ）にＺ筋（１）を貫通保持した壁Ｚ筋パネル（３）の複数枚を、順次下方から上方へ、断熱層（３Ｂ）相互を上下に衝合連続させると共に、各壁Ｚ筋パネル（３）の断熱層（３Ｂ）を、側方の複合パネル（２）の断熱層（２Ｂ）とも衝合連続して上下連続立設し、壁Ｚ筋パネル（３）の両側面に慣用の壁型枠（Ｆ５´，Ｆ５“）を立設して、袖壁型枠（Ｆ５）を外壁型枠（ＦＷ）に接続して構築し、袖壁型枠（Ｆ５）内の配筋は自己完結形態に構築し、次いで、外壁型枠（ＦＷ）及び袖壁型枠（Ｆ５）にコンクリート打設し、袖壁型枠（Ｆ５）内のＺ筋（１）の、一半の突出部（ＡＰ）をコンクリート外壁（Ｗ）内に、他半の突出部（ＢＰ）を袖壁（５）内に一体化固着する、片持ち支持の袖壁を備えた外壁の構築方法。
【請求項１０】
壁Ｚ筋パネル（３）は、パネル高さ（３ｈ）を階高（１ｈ）寸法の等分割寸法とし、壁Ｚ筋パネル（３）の上下方向中央にＺ筋（１）を配置したものである、請求項９の構築方法。
【請求項１１】
壁Ｚ筋パネル（３）の断熱層（３Ｂ）と、複合パネル（２）の断熱層（２Ｂ）との衝合接続は、断熱層（３Ｂ）のスリット溝（３Ｇ）と、断熱層（２Ｂ）のスリット溝（２Ｇ）とに亘って接合板（３Ａ）を嵌入させる、請求項９又は１０の構築方法。
【請求項１２】
壁Ｚ筋パネル（３）の上下接続部（Ｊ３）は、袖壁型枠（Ｆ５）内で、断熱層（３Ｂ）をセパレータ（１０Ｈ´）、ＫＰコン（１１Ａ）、アンカー（１１Ｂ）を用いて挟着保持する、請求項９、又は１０、又は１１の構築方法。
【請求項１３】
壁Ｚ筋パネル（３）の断熱層（３Ｂ）の幅（ＷＢ）を袖壁厚（Ｔ５）より若干両側に突出する寸法とし、断熱層（３Ｂ）の両側面（３Ｌ，３Ｒ）を複合パネル（２）の断熱層（２Ｂ）の側端の入り込み面（２Ｌ，２Ｒ）に衝合当接させる、請求項９乃至１２のいずれか１項の構築方法。
【請求項１４】
各階の袖壁（５）の縦筋（８Ａ）、横筋（８Ｂ）及び幅止め筋（８Ｃ）による配筋は、各袖壁型枠（Ｆ５）内での完結形態とし、壁Ｚ筋パネル（３）のＺ筋（１）群のみを袖壁型枠（Ｆ５）内から外壁型枠（ＦＷ）内への貫通形態とする、請求項９乃至１３のいずれか１項の構築方法。
【請求項１５】
発泡プラスチック系断熱層（３Ｂ）にＺ筋（１）を貫通保持した、片持ち支持袖壁（５）構築用の壁Ｚ筋パネル（３）であって、断熱層（３Ｂ）は、厚さ（ＴＢ）がコンクリート壁（Ｗ）を外断熱被覆する複合パネル（２）の断熱層（２Ｂ）と同厚であり、幅（ＷＢ）が形成する袖壁（５）の壁厚（Ｔ５）よりも、左右に実質上１０mm突出する寸法であり、Ｚ筋（１）は、Ｚ上端筋（１Ｕ）とＺ下端筋（１Ｄ）とを、水平上辺部（１Ｕ´）、中間傾斜部（１Ｓ）及び水平下辺部（１Ｄ´）から成るＺトラス筋（１Ｍ）で、上下に応力中心距離（Ｌ１５）を保って一体化固着したものであり、Ｚ筋（１）の、一半の突出部（ＡＰ）はコンクリート躯体（ＣＦ）内への固着部であって、他半の突出部（ＢＰ）はコンクリート袖壁（５）内への固定部であって、鉄筋コンクリート袖壁（５）を、コンクリート躯体（ＣＦ）に、熱橋抑制の下に一体化構築するための壁Ｚ筋パネル。
【請求項１６】
Ｚ筋（１）は、断熱層（３Ｂ）の上下方向中央に穿設した上下方向長孔形態の挿通用孔（Ｈ１）を貫通し、挿通用孔（Ｈ１）内で、断熱耐火材（３Ｅ）の被覆充填で保持した、請求項１５の壁Ｚ筋パネル。
【請求項１７】
挿通用孔（Ｈ１）の一側外面は、上下にＺ筋挿通用円孔（Ｈ２，Ｈ２´，Ｈ３）を備えた座板（７）で貼着閉止した、請求項１６の壁Ｚ筋パネル。
【請求項１８】
Ｚ筋（１）は、Ｚトラス筋（１Ｍ）の中間傾斜部（１Ｓ）が４５°傾斜であり、且つ、中間傾斜部（１Ｓ）を断熱層（３Ｂ）の厚さ（ＴＢ）の全域に亘って配置して、断熱層（３Ｂ）に剛構造機能を付与した、請求項１５、又は１６、又は１７の壁Ｚ筋パネル。
【請求項１９】
Ｚ筋（１）は、断熱層（３Ｂ）内の部位には耐火塗料（１Ａ）を塗布し、突出部（ＡＰ，ＢＰ）の部位には断熱性錆止め塗料（１Ｂ）を塗布した、請求項１５乃至１８のいずれか１項の壁Ｚ筋パネル。
【請求項２０】
断熱層（３Ｂ）の両側面（３Ｌ，３Ｒ）には、厚さ（ＴＢ）の中央に、上下方向のスリット溝（３Ｇ）を配置した、請求項１５乃至１９のいずれか１項の壁Ｚ筋パネル。
【発明の詳細な説明】
【技術分野】
【０００１】
本発明は、鉄筋コンクリート造外断熱建物に、バルコニー袖壁、ポーチ袖壁、外壁から突出する化粧壁など（以下、本明細書中では袖壁と称する）を、コンクリート躯体の外壁に片持ち形式で構築した外壁構造と、支持鉄筋を備えた断熱パネル（以下、壁Ｚ筋パネルと称する）を用いて該外壁を構築する方法と、片持ち支持形式の袖壁の構築に好適な壁Ｚ筋パネルに関するものであり、建築の技術分野に属するものである。
【背景技術】
【０００２】
鉄筋コンクリート造建物にあって、外壁から突出する袖壁は、バルコニーや庇、外廊下など、外壁から突出する床スラブの支持や、火災時の延焼防止、プライバシー保護、風雨の遮断、美観上、などの目的で採用されているが、断熱層がコンクリート躯体の外面を被覆する外断熱コンクリート建築物にあっては、コンクリート躯体の外壁から突出するコンクリート造袖壁がヒートブリッジ（熱橋）となり、コンクリート建築物の外断熱機能を低下させることによるエネルギーロスの問題、内部結露の発生によるカビ、ダニの発生での健康面での問題が存在する。
そして、袖壁のヒートブリッジ対策としては、図８（Ａ）に示す従来例１、及び図８（Ｂ）に示す従来例２がある。
【０００３】
即ち、図８（Ａ）の従来例１は、非特許文献に挙げられたものであって、袖壁の全外面を複合パネル（断熱層＋外装下地材）でコンクリート躯体のコンクリート外壁と同様に、外断熱被覆する手法である。
また、図８（Ｂ）の従来例２も、非特許文献に挙げられたものであって、コンクリート躯体の外壁は、複合パネルで外断熱に被覆するが、コンクリート壁から突出した袖壁は、外断熱被覆を施すことなく、コンクリート躯体内側、即ち、外壁の内側のコンクリート袖壁からの熱橋（冷橋）作用を受ける部位には、断熱材を貼着して断熱機能を補強するものである。
そして、従来例１も従来例２も、共に、図８（Ｃ）に示す如く、袖壁内の縦筋を基礎梁内に延長して、袖壁に耐力壁機能を発揮させるものである。
【非特許文献１】北海道外断熱協議会発行「２００３年版、ＲＣ造外断熱工法ハンドブック、第４０〜４７頁：熱損失係数の計算の項」
【発明の開示】
【発明が解決しようとする課題】
【０００４】
従来例１にあっては、図８（Ａ）に示す如く、袖壁の両側面及び先端面、即ち、袖壁の全外周面を複合パネルで被覆するため、袖壁は完全な外断熱構造となるが、袖壁の厚さが大となり、複合パネルの袖壁の形態に対応した貼着、特に先端面の貼着の作業性が悪く、複合パネルの貼着施工面でコスト高となる。
また、袖壁の厚さの増大により側面でのバルコニーの空間も狭くなり、コンクリート外壁と同形態の袖壁は、美観上も好ましくない。
【０００５】
また、従来例２にあっては、図８（Ｂ）に示す如く、袖壁は、複合パネルで被覆しないため袖壁の厚さは薄く出来るが、袖壁がコンクリート躯体への熱橋となり、該熱橋抑制のために、コンクリート躯体内面に断熱補強材を貼着することとなるが、コンクリート躯体内面での断熱補強は熱橋の低減が２５％程度しか期待出来ず、従来例１の袖壁より熱橋抑制機能が低い。
しかも、コンクリート躯体内面に断熱補強材による段差が生じ、内装仕上げに際しては断熱補強材の段差を解消するための内装材貼着下地の付設が必要となり、内装仕上げ面での、施工数及びコストが増大する。
その上、断熱補強材の配置により、コンクリート壁の蓄熱性が損なわれる不利がある。
【０００６】
そして、図８（Ａ）に示す従来例１の袖壁も、図８（Ｂ）に示す従来例２の袖壁も、共に、袖壁は、図８（Ｃ）に示す如く、バルコニー床スラブを支持する耐力壁であって、袖壁の軸力（鉛直力）を土中の基礎梁に伝達するものである。
そのため、袖壁の厚さは、標準１８０mmが必要で、軸力を下方に伝達するため、袖壁に開口部（化粧窓）が配置出来ない。
しかも、袖壁は土中の基礎梁に連続するため、土中に埋設する大径の排水管の配管施工も煩雑となる。
本発明は、これら従来例１，２の問題点を解決、又は改善するものであって、鉄筋コンクリート造の袖壁自体を、バルコニーや外壁等に応力的に干渉させることなく、コンクリート壁から片持ち支持形態で、且つ、コンクリート壁への熱橋を抑制した形態で構築出来る手法を提供するものである。
【課題を解決するための手段】
【０００７】
本発明の外壁構造は、例えば、図１に示す如く、鉄筋コンクリート造のコンクリート外壁Ｗから鉄筋コンクリート造の袖壁５を片持ち支持形態で突出付設したものであって、外壁Ｗは、断熱層２Ｂと外装下地材２Ａとを層着した複合パネル２によって外断熱被覆し、袖壁５は、基端５ｂを外壁表面Ｗｆと断熱層３Ｂで熱的に遮断し、且つ、断熱層３Ｂの挿通用孔Ｈ１を貫通するＺ筋１の、一半の突出部ＡＰがコンクリート躯体ＣＦ内で、他半の突出部ＢＰが袖壁５内で、コンクリート打設により一体化固着して、Ｚ筋１のみによって片持ち支持したものである。
【０００８】
この場合、断熱層３Ｂは、鉄筋コンクリート袖壁から鉄筋コンクリート躯体ＣＦへの熱橋作用を抑制出来れば良く、典型的には、ＪＩＳＡ９５１１の発泡プラスチック系断熱層であって、複合パネル２の断熱層２Ｂと同一材料で、同厚とすれば良く、Ｚ筋１は、鉄筋コンクリート袖壁５の負荷応力を安全に支承すれば良く、構造計算によってＺ筋１の配置本数、配置間隔を決定すれば良い。
尚、Ｚ筋１は、本明細書中では、袖壁５とコンクリート躯体ＣＦとに亘って水平に延びて、袖壁５を片持ち支持する鉄筋支持棒の総称であり、１本の鉄筋であっても、図４に示す如く、２本の鉄棒１Ｕ，１Ｄをトラス筋１Ｍで一体化強化したトラス構造物でも良く、コンクリート固着力の観点から、異形棒鋼の採用が好ましい。
また、コンクリート躯体ＣＦは、鉄筋コンクリート造建物の躯体であって、建物躯体を構成する外壁や梁、柱、床スラブ等を含むものである。
【０００９】
従って、本発明の外壁構造は、コンクリート躯体の外壁Ｗが複合パネル２によって外断熱被覆され、且つ、外壁Ｗから突出した袖壁５も、コンクリート袖壁の基端５ｂとコンクリート外壁の表面Ｗｆ間を断熱層３Ｂで熱的に遮断しているため、袖壁５からコンクリート躯体ＣＦへの熱橋作用は、袖壁５のコンクリート→Ｚ筋→コンクリート躯体、の作用のみとなり、従来の、袖壁５のコンクリート→外壁コンクリートの熱橋作用が阻止出来て、コンクリート袖壁からコンクリート躯体への熱橋作用は大幅（約１／２）に低減出来る。
しかも、Ｚ筋１も種類、配置構造を好適に選択決定することにより、本発明の鉄筋コンクリート袖壁５でのＺ筋１は、従来のコンクリート袖壁からコンクリート躯体に連通する配筋（横鉄筋）の熱伝達よりも低減化可能であり、本発明の外壁構造は、外壁Ｗの外断熱被覆と相俟って、外気からの熱橋作用の大幅に低減されたコンクリート躯体となる。
【００１０】
また、鉄筋コンクリート袖壁５は、構造的には、コンクリート躯体と独立してＺ筋１群のみによって片持ち形態で支持されるため、袖壁５の形態が自在に設計出来、美観上の必要性によって窓（開口部）の配置や、袖壁５の高さも自在に構築出来、コンクリート袖壁の設計が自在となる。
また、鉄筋コンクリート袖壁５は、構造力学上、独立付設物（二次構造物）であるため、壁の厚さも薄く出来て、バルコニー床のスペース確保に有利であり、上階と下階、及び左右の袖壁の厚さ相違による、美観、識別面での好みにも対処可能となる。
【００１１】
また、本発明の外壁構造にあっては、例えば図２に示す如く、袖壁５を熱的に遮断する断熱層３Ｂは、厚さＴＢが複合パネル２の断熱層２Ｂの厚さＴ３と実質上等厚であり、且つ、断熱層３Ｂと断熱層２Ｂとは当接連続しているのが好ましい。
この場合は、コンクリート打設用の型枠組み作業に於いて、Ｚ筋１を保持する断熱層３Ｂを、複合パネル２間に、且つ複合パネル断熱層２Ｂと整列配置するだけで良いため、複合パネル２と、別個独立の断熱層３Ｂとの衝合連接作業が容易となり、且つ、コンクリート外壁Ｗを被覆する複合パネルと同一の熱橋抑制機能を備えたコンクリート袖壁５が得られる。
【００１２】
また、Ｚ筋１は、図４（Ｂ）に示す如く、Ｚ上端筋１ＵとＺ下端筋１Ｄとを、水平上辺部１Ｕ´、中間傾斜部１Ｓ及び水平下辺部１Ｄ´から成るＺトラス筋１Ｍで、上下方向に応力中心距離Ｌ１５を保って一体化固着したものが好ましい。
この場合、Ｚ上端筋１Ｕ、Ｚ下端筋１Ｄの径、長さは、適用するコンクリート袖壁５の構造計算によって決定すれば良いが、Ｚ上端筋１ＵとＺ下端筋１Ｄとは、構造計算上及びコンクリートとの固着力の観点から、同径の異形棒鋼が好ましく、Ｚ下端筋１Ｄは圧縮抗力負担であるため、引張抗力負担のＺ上端筋１Ｕより短寸と出来る。
【００１３】
そして、該Ｚ筋１は、Ｚ上端筋１ＵとＺ下端筋１Ｄとが、上下に必要応力中心距離Ｌ１５を保って一体化しているため、鉄筋コンクリート袖壁５の支持に関しては、例えば図３（Ａ）に示すように、袖壁５の厚さＴ５が１８０mm、奥行ＬＢが１５００mm、高さ１ｈが階高の２７００mmとすれば、コンクリート袖壁５を支持するために必要なＺ筋１の数量（Ｚ上端筋１Ｕ、Ｚ下端筋１Ｄ共２２mm径の場合は１．５２本となるが、安全率をみて３本とする）を構造計算で算出し、Ｚ筋１の必要本数が３本の場合は、階高１ｈ（標準：２７００mm）で三分割し、各分割高さ（３ｈ）の中央に、Ｚ筋１を９００mm間隔に配置すれば良い。
従って、図３の如く、高さ３ｈが９００mm、断熱層３Ｂの上下間中央にＺ筋１を配置した壁Ｚ筋パネル３の形態でＺ筋１を配置すれば、Ｚ筋１は、少ない本数で大間隔となるため、鉄筋コンクリート袖壁５の型枠組み時のＺ筋１の配置、固定、及びＺ筋１周辺への配筋作業が容易となり、コンクリート袖壁５の構築の作業性が向上する。
【００１４】
また、外壁構造の発明にあっては、図６（Ａ）に示す如く、袖壁５を熱的に遮断する断熱層３Ｂは、幅ＷＢが袖壁５の壁厚Ｔ５より若干大であり、幅ＷＢの中央の上下適所に間隔配置した、図４の如く、縦方向長孔形態の挿通用孔Ｈ１にＺ筋１を貫通保持したのが好ましい。
一般に、鉄筋コンクリート躯体に鉄筋コンクリート袖壁を突設する場合は、作業上、コンクリートはコンクリート躯体に打設し、次いで袖壁に打設することとなるが、この場合、断熱層３Ｂの両側３Ｌ，３Ｒが、図５（Ａ）に示す如く、複合パネル２の断熱層２Ｂ側に若干（標準：１０mm）入り込み、断熱層３Ｂの両側を複合パネル２の外装下地材２Ａに掛かった形態と出来るため、断熱層３Ｂの複合パネル２との整列配置が容易であると共に、断熱層３Ｂのコンクリート躯体（外壁）側からのコンクリート流動圧による変位も好適に抑制する。
そして、Ｚ筋１の挿通用孔Ｈ１が、上下方向長孔形態であるため、Ｚ筋１の断熱層３Ｂへの挿通が容易であると共に、挿通用孔Ｈ１の断熱修復も容易であり、Ｚ筋１を貫通保持した断熱層３Ｂの準備が容易となる。
【００１５】
また、袖壁５を支持するＺ筋１は、図４（Ｄ）に示す如く、Ｚ筋１の中間傾斜部１Ｓが、断熱層３Ｂ内で、厚さＴＢ全域に亘って傾斜配置して、断熱層３Ｂに剛構造機能を付与しているのが好ましい。
この場合、断熱層３Ｂの厚さＴＢの全域に亘って、Ｚトラス筋１Ｍによるトラス構造が導入出来ているため、それ自体は強度の小さな断熱層３Ｂが、力学上は、コンクリート体に置換した構造となり、コンクリート躯体ＣＦと一体化した袖壁５は、断熱層３Ｂ域も剛構造となるため、Ｚトラス筋１ＭによるＺ上端筋１ＵとＺ下端筋１Ｄとの間への十分な応力中心距離Ｌ１５の付与と相俟って、コンクリート袖壁５の垂直方向曲げモーメントによる撓み量が極端に低減（標準:袖壁先端５ｔの変位０．４９４mm、袖壁基端５ｂの変位０．００１mm）出来、コンクリート袖壁５の強固な支持が可能となる。
【００１６】
また、Ｚ筋１は、図４（Ｃ）に示す如く、突出部ＡＰ，ＢＰでは錆止め塗料１Ｂが塗布され、断熱層３Ｂの挿通用孔Ｈ１内では、耐火塗料１Ａが塗布され、且つ、断熱耐火材３Ｅで充填被覆されているのが好ましい。
この場合、Ｚ筋１には、全長に亘って防蝕、断熱性のエポキシ樹脂塗料の耐火コート下塗材（（株）エスケー化研、商品名）を、断熱性錆止め塗料１Ｂとして下塗りし、断熱層３Ｂ対応部位には、更に、ＳＫ耐火コート上塗材（（株）エスケー化研、商品名）を耐火塗料１Ａとして上塗りすれば良く、耐火コート下塗材により、Ｚ筋１は、コンクリート内での腐蝕が抑制され、断熱性、耐久性が向上する。
【００１７】
また、断熱耐火材３Ｅとしては、耐火性、断熱性に富み、鋏で切断出来る、例えば、カオウール（イソライト工業（株）、商品名）や、フイブロック（積水化学工業（株）、商品名）等を用いて、Ｚ筋１と挿通用孔Ｈ１との間隙を断熱補修しておけば良い。
従って、火災時に断熱層３Ｂが燃焼しても、Ｚ筋１は、断熱耐火材３Ｅと、耐火塗料１Ａとの二段防御により、Ｚ筋１の火災による強度劣下が好適に抑止出来るものとなり、断熱層３Ｂの挿通用孔Ｈ１での、必要な断熱機能修復によって、同時に、耐火性、耐久性を備えたコンクリート袖壁５が得られる。
【００１８】
また、外壁構造の発明にあって、Ｚ筋１は、図２（Ｂ）に示す如く、コンクリート躯体ＣＦ内固着用の突出部ＡＰが屈曲してコンクリート躯体ＣＦ内で固定されているのが好ましい。
この場合は、Ｚ筋１の突出部ＡＰが屈曲形態であるため、屈曲突出部ＡＰのコンクリート躯体ＣＦ内配置は、外壁Ｗの厚さＴＷ（標準：１８０mm）内でも可能となる。
従って、鉄筋コンクリート袖壁５のコンクリート躯体ＣＦからの突設位置が自在となり、建物設計の自由度が増す。
しかも、Ｚ筋１が屈曲形態であるため、コンクリート固着力が増し、コンクリート躯体側への突出部ＡＰの短寸化も可能となる。
そして、Ｚ筋の突出部ＡＰの先端に、図２（Ｂ）の如く、定着板１Ｃを固定する場合は、Ｚ筋１の突出部ＡＰの更なる短寸化が可能となる。
【００１９】
また、外壁構造の発明にあっては、コンクリート外壁Ｗを、コンクリート外壁Ｗより透湿抵抗の小さな発泡プラスチック系断熱層２Ｂと、該断熱層２Ｂより透湿抵抗の小さな外装下地材２Ａとを層着一体化した複合パネル２で被覆するのが好ましい。
この場合、標準としての１８０mm厚のコンクリート壁Ｗの透湿抵抗は、１２６ｍ２ｈmmＨｇ／ｇであるから、標準７５mm厚の断熱層２Ｂとしては、押出法ポリスチレンフォームを採用すれば、透湿抵抗は５２．５ｍ２ｈmmＨｇ／ｇとなり、外装下地材２Ａとしての、１２mm厚のマグネシウムセメント板の透湿抵抗は、１４ｍ２ｈmmＨｇ／ｇであり、複合パネル２に、押出法ポリスチレンフォーム板の７５mm厚断熱層２Ｂと、１２mm厚のマグネシウムセメント板２Ａとの層着タイプを用いれば、コンクリート壁Ｗから外装下地材２Ａへと、順次、透湿抵抗が大から小に変化した構造に出来る。
【００２０】
従って、該複合パネル２を張設した外断熱外壁は、室内の水蒸気が自然と外部に流出するものとなり、鉄筋コンクリート袖壁５を突出付設した鉄筋コンクリート建築物は、外壁Ｗが透湿性外断熱被覆により、内部結露が抑制出来ると共に、コンクリート袖壁５からも、建物内部への熱橋が抑制されて内部結露の発生が抑制され、カビやダニの発生の無く、住環境の優れた省エネルギー建物となる。
【００２１】
また、外壁の構築方法の発明は、図５（Ａ）に示す如く、マグネシウムセメント板２Ａと発泡プラスチック系断熱層２Ｂとを層着した透湿性外断熱用の複合パネル２を、マグネシウムセメント板２Ａを外面にして外壁外側型枠Ｆ０として立設し、慣用の外壁内側型枠Ｆ１と共に外壁型枠ＦＷを構築し、袖壁５の配置部位では、図４に示す如く、複合パネル２の断熱層２Ｂと同厚の断熱層３ＢにＺ筋１を貫通保持した壁Ｚ筋パネル３の複数枚を、順次下方から上方へ、断熱層３Ｂ相互を上下に衝合連続させると共に、各壁Ｚ筋パネル３の断熱層３Ｂを、側方の複合パネル２の断熱層２Ｂとも衝合連続して上下連続立設し、壁Ｚ筋パネル３の両側面に慣用の壁型枠Ｆ５´，Ｆ５“を立設して、袖壁型枠Ｆ５を外壁型枠ＦＷに接続して構築し、袖壁型枠Ｆ５内の配筋は自己完結形態に構築し、次いで、外壁型枠ＦＷ及び袖壁型枠Ｆ５にコンクリート打設し、袖壁型枠Ｆ５内のＺ筋１の、一半の突出部ＡＰをコンクリート外壁Ｗ内に、他半の突出部ＢＰを袖壁５内に一体化固着するものである。
【００２２】
この場合、複合パネル２にあっては、発泡プラスチック系断熱層２Ｂとして、ＪＩＳＡ９５１１の、押出法ポリスチレンフォーム、硬質ウレタンフォーム等の厚さＴ３が７５mmのものを採用し、マグネシウムセメント板２Ａとして厚さ１２mmのものを採用すれば良く、壁Ｚ筋パネル３の断熱層３Ｂも、複合パネル断熱層２Ｂと同材質を採用すれば良い。
また、壁Ｚ筋パネル３は、図４に示す如く、パネル本体としての断熱層３Ｂに、Ｚ筋１として、Ｚ上端筋１ＵとＺ下端筋１Ｄとを、水平上辺部１Ｕ´、中間傾斜部１Ｓ及び水平下辺部１Ｄ´から成るＺトラス筋１Ｍで、上下方向に応力中心距離Ｌ１５を保って一体化固着した、引張り抗力及び圧縮抗力の強大な、上下方向トラス構造のＺ筋１を貫通保持した壁Ｚ筋パネル３を採用すれば良い。
また、壁Ｚ筋パネル３の、上下高さ３ｈ、及び上下連続配置する枚数は、コンクリート袖壁５の支持に必要なＺ筋１の本数を構造計算で算出し、Ｚ筋１の必要本数が、等間隔配置出来るように決めれば良い。
【００２３】
従って、片持ち支持の袖壁を備えた外壁の構築方法の発明にあっては、外壁型枠ＦＷは従来の外壁捨型枠構築の手法で構築し、袖壁型枠Ｆ５は、従来の袖壁型枠の構築の工程中に、袖壁型枠内に壁Ｚ筋パネル３のみを上下接続配置すれば良く、しかも、袖壁型枠Ｆ５内での配筋が自己完結形態、即ち、縦筋８Ａ、横筋８Ｂ、幅止め筋８Ｃの配筋は、各袖壁型枠Ｆ５内のみで完結した形態であるため、外壁型枠ＦＷ内への配筋作業と袖壁型枠Ｆ５内での配筋作業が別々に実施出来、配筋の作業性も良い。
そして、自己完結形態の配筋を備えた袖壁型枠Ｆ５からはＺ筋１群のみが断熱層３Ｂを貫通して外壁型枠ＦＷ内に突出しているため、コンクリート打設によって得られる袖壁５は、鉄筋コンクリート袖壁５でありながら、コンクリート外壁Ｗとは、壁Ｚ筋パネル３の断熱層３Ｂで熱的に遮断されてＺ筋１群のみが連通した構造となり、鉄筋コンクリート外壁Ｗも複合パネル２で外断熱被覆しているため、コンクリート躯体ＣＦは、外部からの熱橋作用の抑制されたものとなり、請求項１の外壁構造が好適に実施出来る。
【００２４】
また、構築方法の発明にあっては、壁Ｚ筋パネル３は、例えば図３に示す如く、パネル高さ３ｈを階高寸法１ｈの等分割寸法とし、壁Ｚ筋パネル３の上下方向中央にＺ筋１を配置するのが好ましい。
この場合、採用するＺ筋１を基に、構造計算によって１本のＺ筋を備えた壁Ｚ筋パネル３の高さを決定すれば良い。
そして、パネル本体としての断熱層３Ｂの中央へのＺ筋１の貫入固定は、作業性が良いばかりか、各壁Ｚ筋パネル３が同一構造であるため、各壁Ｚ筋パネル３を選択作業無しに、上下接続するだけでＺ筋１のコンクリート袖壁５内への定間隔配置となり、壁Ｚ筋パネル３の上下連結作業が容易となり、特に、図２の如き、袖壁５が階高１ｈに亘る高さの場合に有利である。
そして、短寸化された壁Ｚ筋パネル３は、製造、保管、搬送が容易であると共に、短寸化された袖壁の構築にも対処出来る。
【００２５】
また、袖壁型枠Ｆ５の構築時には、壁Ｚ筋パネル３の断熱層３Ｂと、複合パネル２の断熱層２Ｂとの衝合接続は、図６（Ａ）に示す如く、断熱層３Ｂのスリット溝３Ｇと、断熱層２Ｂのスリット溝２Ｇとに亘って接合板３Ａを嵌入させるのが好ましい。
この場合、接合板３Ａは、断熱層３Ｂと断熱層２Ｂとの前後方向（図６（Ａ）の上下方向）での相対位置関係を規制するものであり、標準は、肉厚３mmで、幅８０mm、高さは階高１ｈ（標準：２７００mm）のプラスチック板を採用すれば良く、両断熱層３Ｂ，２Ｂのスリット溝３Ｇ，２Ｇは、スリット幅３mm強、深さ４０mm強で、全高に及ぶ形態とすれば良いが、接合板３Ａがスリット溝３Ｇ，２Ｇで摩擦保持される場合は、接合板３Ａの長さを短尺物とし、断熱層３Ｂ，２Ｂの適所に部分嵌入で実施出来る。
従って、接合板３Ａの使用により、複合パネル２の断熱層２Ｂに対する壁Ｚ筋パネル３の整合配置が容易となり、且つ、接合板３Ａは、コンクリート打設時のコンクリート圧による壁Ｚ筋パネル３の変位を抑制する利点がある。
【００２６】
また、袖壁型枠Ｆ５の構築に際しては、壁Ｚ筋パネル３の上下接続部Ｊ３は、袖壁型枠Ｆ５内で、図６（Ａ），（Ｂ）に示す如く、断熱層３Ｂをセパレータ１０Ｈ´、ＫＰコン１１Ａ、アンカー１１Ｂを用いて挟着保持するのが好ましい。
この場合、セパレータ１０Ｈ´、ＫＰコン１１Ａ、アンカー１１Ｂ等は、それ自体慣用の、姿勢保持部材である。
そして、壁Ｚ筋パネル３は、図４に示す如く、板状の断熱層３ＢにＺ筋１を貫通固定したものであり、袖壁型枠Ｆ５内では、袖壁５の高さ（標準：階高１ｈ）だけ上下に接続延長する断熱層３Ｂを保持する必要がある。
そして、アンカー１１Ｂの、外壁型枠ＦＷ内への突出部、及び袖壁型枠Ｆ５への突出部を、各型枠ＦＷ，Ｆ５内の配筋と堅結することにより、断熱層３Ｂの接続部Ｊ３を挟着保持するＫＰコン１１Ａが位置保持出来、ＫＰコン１１Ａを各壁Ｚ筋パネルの各断熱層３Ｂの上下接続部Ｊ３に配置することにより、壁Ｚ筋パネル３は、そのＺ筋１の突出部ＡＰ，ＢＰの各型枠ＦＷ，Ｆ５内での配筋との堅結保持と相俟って、打設コンクリートの圧力による変位が抑制出来る。
従って、壁Ｚ筋パネル３の上下接続、及び位置保持作業が容易となり、コンクリート袖壁型枠Ｆ５の構築が容易となる。
この場合、両側のＫＰコン１１Ａを連結するセパレータ１０Ｈ´は鉄棒であるが、ＫＰコン１１Ａで熱橋が遮断されている。
【００２７】
また、構築方法の発明にあっては、図６（Ａ）に示す如く、壁Ｚ筋パネル３の断熱層３Ｂの幅ＷＢを袖壁厚Ｔ５より若干両側に突出する寸法とし、断熱層３Ｂの両側面３Ｌ，３Ｒを複合パネル２の断熱層２Ｂの側端の入り込み面２Ｌ，２Ｒに衝合当接させるのが好ましい。
この場合、断熱層３Ｂの両側面３Ｌ，３Ｒの袖壁５の側面からの若干の突出寸法は、標準１０mm程度で良い。
従って、図６（Ａ）で明らかな如く、壁Ｚ筋パネル３の断熱層３Ｂは、突出両側面３Ｌ，３Ｒが複合パネル２の断熱層２Ｂの入り込み面２Ｌ，２Ｒと当接するため、両側面３Ｌ，３Ｒが、複合パネル２の外装下地材２Ａ（典型的には、１２mm厚のマグネシウムセメント板）への載置形態となり、断熱層３Ｂの複合パネル２への衝合当接作業が容易となると共に、作業工程上、袖壁型枠Ｆ５内へのコンクリート打設に先行して実施する、外壁型枠ＦＷ内へのコンクリート打設によって生ずる、コンクリート圧による断熱層３Ｂへの加圧変位作用にも、外装下地材２Ａが好適に対抗支承作用を奏する。
【００２８】
また、構築方法の発明にあっては、各階の袖壁５の縦筋８Ａ、横筋８Ｂ及び幅止め筋８Ｃによる配筋は、各袖壁型枠Ｆ５内での完結形態とし、壁Ｚ筋パネル３のＺ筋１群のみを袖壁型枠Ｆ５内から外壁型枠ＦＷ内への貫通形態とするのが好ましい。
従って、各階の各鉄筋コンクリート袖壁５は、それぞれ、独立的に袖壁５内に配置されたＺ筋１群のみによって片持ち支持されることとなり、各袖壁５は、コンクリート躯体ＣＦやバルコニー床等とは構造上独立した二次構造物となるため、各袖壁５は、薄くしたり、開口窓を設けたり、上階と下階との袖壁構造を別異にしたり、設計が自在となり、需要者の希望に沿った袖壁の提供が可能となる。
【００２９】
本願の外壁の構築方法に好適に使用出来る壁Ｚ筋パネルの発明は、例えば図４に示す如く、発泡プラスチック系断熱層３ＢにＺ筋１を貫通保持した、片持ち支持袖壁５構築用の壁Ｚ筋パネル３であって、断熱層３Ｂは、厚さＴＢがコンクリート壁Ｗを外断熱被覆する複合パネル２の断熱層２Ｂと同厚であり、幅ＷＢが形成する袖壁５の壁厚Ｔ５よりも、左右に実質上１０mm突出する寸法であり、Ｚ筋１は、Ｚ上端筋１ＵとＺ下端筋１Ｄとを、水平上辺部１Ｕ´、中間傾斜部１Ｓ及び水平下辺部１Ｄ´から成るＺトラス筋１Ｍで、上下に応力中心距離Ｌ１５を保って一体化固着したものであり、Ｚ筋１の、一半の突出部ＡＰはコンクリート躯体ＣＦ内への固着部であって、他半の突出部ＢＰはコンクリート袖壁５内への固定部であって、鉄筋コンクリート袖壁５を、コンクリート躯体ＣＦに、熱橋抑制の下に一体化構築するものである。
【００３０】
この場合、発泡プラスチック系断熱層３Ｂは、押出法ポリスチレンフォーム、ビーズ法ポリスチレンフォーム、硬質ウレタンフォーム等のＪＩＳＡの発泡断熱材を採用すれば良い。
また、Ｚ筋１は、構成するＺ上端筋１Ｕ及びＺ下端筋１Ｄの太さと、支持するコンクリート袖壁５との構造計算に基づいて使用本数が決定出来、図４に示す如く、壁Ｚ筋パネル３の１枚にＺ筋１本配置するのが、壁Ｚ筋パネル３の製作上、保管上、袖壁型枠Ｆ５の構築作業上有利であり、Ｚ筋１の袖壁５内への配置本数によって壁Ｚ筋パネル３の高さ３ｈを設定すれば良く、好ましくは、袖壁５の高さ、即ち、階高１ｈが標準２７００mmのものにあっては、壁Ｚ筋パネル３の高さ３ｈを９００mmとし、袖壁５の支持Ｚ筋１が３本以下で強度の保証出来るＺ筋１を、各壁Ｚ筋パネル３の高さ３ｈ方向中央に１本のＺ筋１を配置すれば良い。
【００３１】
また、Ｚ筋１を構成するＺ上端筋１Ｕ、Ｚ下端筋１Ｄ、Ｚトラス筋１Ｍは、コンクリート固着力の観点から、共に、異形棒鋼を採用するのが好ましい。
また、Ｚ筋１の断熱層３Ｂへの貫通保持は、Ｚ筋１が前後移動しない形状に保持され、Ｚ筋１の挿通部での断熱層３Ｂの断熱機能低下を補修すれば良く、断熱層３Ｂに挿通用孔を穿設してＺ筋１を挿通し、挿通用孔を繊維系断熱材、及び／又は、現場発泡ウレタンで充填補修すれば良い。
【００３２】
従って、本発明の壁Ｚ筋パネル３でコンクリート袖壁５を片持ち支持すれば、Ｚ上端筋１Ｕが、下方への曲げモーメントによる引張り応力に対抗し、Ｚ下端筋１Ｄが下方への曲げモーメントによる圧縮応力に対抗出来、Ｚトラス筋１Ｍによるトラス構造、及び必要な応力中心距離の確保により、各Ｚ筋１が必要、且つ十分な支持力を発揮する。
そして、コンクリート袖壁５は、コンクリート外壁Ｗに対して断熱層３Ｂで熱的に遮断されるため、コンクリート袖壁５からコンクリート外壁Ｗへの熱橋作用は、外気→袖壁コンクリート→Ｚ筋→コンクリート外壁→居室内、のルートのみとなり、コンクリート袖壁５を外断熱被覆せずとも、コンクリート袖壁からコンクリート躯体への熱橋作用が十分に抑制出来る。
また、壁Ｚ筋パネル３は、別個単体として工場生産出来るため、均質で十分な袖壁支持力を備えた袖壁構築用部材として準備出来、保管、搬送が可能であり、各遠隔地の現場での均質、且つ、安全なコンクリート袖壁の構築を可能とする。
【００３３】
また、壁Ｚ筋パネル３にあって、Ｚ筋１は、図４に示す如く、断熱層３Ｂの上下方向中央に穿設した上下方向長孔形態の挿通用孔Ｈ１を貫通し、挿通用孔Ｈ１内で、断熱耐火材３Ｅの被覆充填で保持するのが好ましい。
この場合、断熱耐火材３Ｅとしては、耐火性、断熱性に富み、鋏で切断出来る、例えば、カオウール（イソライト工業（株）、商品名）、フイブロック（積水化学工業（株）、商品名）等でＺ筋１を被覆充填し、現場発泡ウレタンを注入充填すれば、Ｚ筋１を断熱層３Ｂに対して前後方向に、移動阻止して保持出来る。
【００３４】
そして、Ｚ筋１の外周は、断熱耐火材（カオウール）３Ｅの充填被覆であるため、Ｚ筋１の断熱層３Ｂに対する、若干の上下左右動が可能となり、Ｚ筋１の、外壁型枠ＦＷ内への突出部ＡＰ、及び袖壁型枠Ｆ５内への突出部ＢＰの、姿勢保持、及び配筋への固定作業が容易となる。
そして、該壁Ｚ筋パネル３で構築されたコンクリート袖壁５は、火災時に断熱層３Ｂが燃焼しても、断熱層３Ｂ内のＺ筋は、火力から保護されて火災による強度劣下が抑制出来る。
従って、該壁Ｚ筋パネル３は、Ｚ筋１の断熱層３Ｂへの貫入作業、及び断熱層３Ｂの挿通用孔Ｈ１への断熱機能補修作業が容易であって、製作容易であり、耐火性のコンクリート袖壁５の提供が可能となる。
【００３５】
また、壁Ｚ筋パネル３にあっては、挿通用孔Ｈ１の一側外面は、上下にＺ筋挿通用円孔Ｈ２，Ｈ２´，Ｈ３を備えた座板７で貼着閉止するのが好ましい。
この場合、座板７は、厚さ２〜３mmで挿通用孔Ｈ１の全体を覆う矩形のプラスチック板を採用すれば良く、各挿通用円孔Ｈ２，Ｈ２´，Ｈ３は、挿通する対応鉄筋（Ｚ上端筋１Ｕ、Ｚトラス筋１Ｍ、Ｚ下端筋１Ｄ）の径より若干（標準：３mm）大きな円孔とするのが好ましい。
そして、座板７は、図５（Ｂ）、図７（Ａ）に示す如く、断熱層３Ｂの一側外面に予め貼着しておき、Ｚ筋１は、座板７の反対側から挿入して、座板７の各挿通用円孔Ｈ２，Ｈ２´，Ｈ３に嵌入挿通すれば良い。
【００３６】
従って、長孔形態の挿通用孔Ｈ１内で、Ｚ筋１の周囲に断熱耐火材（カオウール）３Ｅを充填し、断熱耐火材３Ｅと挿通用孔Ｈ１との隙間に、現場発泡ウレタンを注入充填する際に、座板７がストッパー機能を奏して、きれいな充填が容易に実施出来る。
そして、得られた壁Ｚ筋パネルにあっては、Ｚ筋１が座板７を支点として、若干の上下左右動が可能で、各型枠ＦＷ，Ｆ５内でのＺ筋の突出部ＡＰ，ＢＰの姿勢保持、及び固定作業が容易となり、Ｚ筋の各鉄棒と各挿通用円孔Ｈ２，Ｈ２´，Ｈ３の隙間（標準：１．５mm）を閉止した現場発泡ウレタン材は、地震時でも、クッション作用を奏してＺ筋１の振動を吸収する。
【００３７】
また、壁Ｚ筋パネルにあって、Ｚ筋１は、図４に示す如く、Ｚトラス筋１Ｍの中間傾斜部１Ｓが４５°傾斜であり、且つ、中間傾斜部１Ｓを断熱層３Ｂの厚さＴＢの全域に亘って配置して、断熱層３Ｂに剛構造機能を付与するのが好ましい。
この場合、Ｚトラス筋１Ｍは、図４（Ｂ）に示す如く、袖壁５との固着側（ＢＰ側）からコンクリート躯体との固着側（ＡＰ側）へと降下傾斜させると良い。
そして、図３に示す如く、壁Ｚ筋パネル３で袖壁５を片持ち支持すれば、袖壁５に働く下方曲げ応力により、Ｚ上端筋１Ｕには引張り応力が、Ｚ下端筋１Ｄには圧縮応力が作用し、引張り応力と圧縮応力の界面中立軸に生ずる剪断応力は、理論上４５°となるため、４５°傾斜配置のＺトラス筋１Ｍが剪断応力対抗となり、合理的な支持力を備えた壁Ｚ筋パネル３の製作が出来る。
【００３８】
そして、断熱層３Ｂの厚さＴＢ（標準：７５mm）の全域に亘ってＺトラス筋１Ｍの中間傾斜部１Ｓを配置するため、中間傾斜部１Ｓが断熱層３Ｂ全厚に亘ってトラス構造を付与し、断熱層３ＢのＺ筋挿通部は剛構造となって、力学上、断熱層３Ｂをコンクリート体に置換したもの、即ち、コンクリート袖壁５は、力学上、コンクリート外壁Ｗと連続構造体と見なすことが出来、Ｚ筋１自体が十分な応力中心距離Ｌ１５を保っていることと相俟って、片持ち支持のコンクリート袖壁５の下方曲げモーメントによる撓み量が極端に低減（標準：０．００１mm）出来、コンクリート袖壁５の強固な片持ち支持が可能となる。
【００３９】
また、壁Ｚ筋パネル３にあっては、Ｚ筋１は、図４（Ｂ）に示す如く、断熱層３Ｂ内の部位には耐火塗料１Ａを塗布し、突出部ＡＰ，ＢＰの部位には断熱性錆止め塗料１Ｂを塗布しておくのが好ましい。
この場合、Ｚ筋１の全長全面に亘って、防蝕、断熱性のエポキシ樹脂塗料である耐火コート下塗材（（株）エスケー化研、商品名）を、断熱性錆止め塗料１Ｂとして塗布し、断熱層３Ｂ対応部位には、更に、ＳＫ耐火コート上塗材（（株）エスケー化研、商品名）を、断熱性錆止め塗料１Ｂとして塗布すれば良い。
【００４０】
従って、壁Ｚ筋パネル３は、図４（Ｂ），（Ｃ）の如く、断熱層３Ｂに該Ｚ筋１を挿通し、Ｚ筋挿通用孔Ｈ１を、断熱耐火材３Ｅ、及び／又は、現場発泡ウレタンの充填で断熱機能を修復したため、該壁Ｚ筋パネル３を用いて構築した片持ち支持の鉄筋コンクリート袖壁５は、火災時の断熱層３Ｂの燃焼の際にも、Ｚ筋１の火災劣下が抑制出来て耐火性の袖壁となり、しかも、Ｚ筋１のコンクリート内固着部（突出部ＡＰ，ＢＰ）の断熱性錆止め塗料１Ｂによって、Ｚ筋１の腐蝕が抑制出来て耐久性が向上したものとなり、袖壁５からコンクリート躯体への唯一の熱橋ルートであるＺ筋１も、周囲のコンクリートからＺ筋１への熱伝達が低減されるため、コンクリート袖壁５は、コンクリート躯体ＣＦ（コンクリート外壁Ｗ）への熱橋作用が、より低減されたものとなる。
【００４１】
また、壁Ｚ筋パネル３にあっては、図４（Ａ）に示す如く、断熱層３Ｂの両側面３Ｌ，３Ｒには、厚さＴＢの中央に、上下方向のスリット溝３Ｇを配置しておくのが好ましい。
この場合、スリット溝３Ｇは、図６（Ａ）の如く、接合板３Ａを嵌入するものであり、接合板３Ａの適用形態に応じて溝幅、溝深さ、溝長さは選択決定すれば良い。
従って、スリット溝３Ｇを備えた壁Ｚ筋パネル３は、図６（Ａ）に示す如く、袖壁型枠Ｆ５の構築時の、断熱層３Ｂと複合パネル断熱層２Ｂとの整合配置が接合板３Ａによって容易、且つ正確に実施出来、コンクリート打設時のコンクリート圧を受けても、Ｚ筋パネル３は、断熱層３Ｂの両側面の接合板３Ａが好適に支承力として機能する。
【発明の効果】
【００４２】
本発明の外壁構造を備えた建物は、鉄筋コンクリート袖壁５が鉄筋コンクリート躯体ＣＦと熱的に遮断された形態で、Ｚ筋１のみによって片持ち支持されるため、袖壁５を外断熱被覆しなくても、コンクリート袖壁５からコンクリート躯体ＣＦ側への熱橋作用は、外気→袖壁のコンクリート→Ｚ筋→コンクリート躯体側コンクリート→居室内のルートで発生し、従来のコンクリート袖壁とコンクリート躯体の一体連続形態よりも、袖壁のコンクリート断面積経由の熱橋作用が無くなる。
従って、本発明にあっては、鉄筋コンクリート袖壁５の外周面に、何ら外断熱施工を施さなくても、コンクリート躯体ＣＦ内への熱橋作用の抑制されたものとなり、従来例１のコンクリート袖壁全周を外断熱被覆するものや、従来例２のコンクリート躯体内部に断熱補強を施すものに比べて、遥かに経済的に、且つ施工容易に、外断熱建物が得られる。
【００４３】
更に、鉄筋コンクリート袖壁５は、Ｚ筋１のみでの片持ち支持となるため、袖壁５の突設位置は、Ｚ筋１群の突出部ＡＰがコンクリート躯体ＣＦ内に配置可能な位置であれば良く、鉄筋コンクリート袖壁５を薄くしたり、袖壁開口部（窓）を開口したり、袖壁高さを所望高さとすることが可能となり、鉄筋コンクリート袖壁の設計が自在となる。
そして、鉄筋コンクリート袖壁５は、従来の如き耐力壁ではなく、二次構造物であるため、バルコニー床スラブや袖壁下方でのスペース活用に制約は生じない。
従って、本発明の外壁構造は、外断熱被覆されたコンクリート外壁Ｗから熱橋作用を抑制した形態でコンクリート袖壁を突設したため、鉄筋コンクリート建物は、内部結露の発生が無くて衛生面でも優れた、且つ、外断熱による耐久性に優れた、且つ、省エネルギーの高品質建物となる。
【００４４】
また、構築方法の発明にあっては、外壁型枠ＦＡの外側の捨型枠として立設配置した複合パネル２間に、袖壁支持用のＺ筋１を備えた壁Ｚ筋パネル３を、断熱層３Ｂを複合パネル断熱層２Ｂと並列接続形態に衝合当接すれば、コンクリート袖壁５の型枠Ｆ５が配置出来ること、壁Ｚ筋パネル３は小型の工場生産品であるため取扱いが容易であること、更には、壁Ｚ筋パネルの配置施工は、コンクリート外壁型枠ＦＷの配筋組立て後となって、Ｚ筋１と壁筋（縦筋８Ａ、横筋８Ｂ、幅止め筋８Ｃ）との配置固定の作業性が良いこと、等により、壁Ｚ筋パネル３の配置、及び型枠組みの作業性が良い。
従って、壁Ｚ筋パネル３のＺ筋１のコンクリート躯体内固定用の突出部ＡＰがコンクリート躯体側の外壁型枠ＦＷ内に配置、固定出来さえすれば、鉄筋コンクリート袖壁５はコンクリート外壁Ｗから突出形成出来、設計の自由度の高い、熱橋作用の抑制されたコンクリート袖壁が、作業性良く、合理的に構築出来、本願の請求項１の外壁構造が好適に実施出来る。
【００４５】
また、本発明の壁Ｚ筋パネル３は、Ｚ上端筋１ＵとＺ下端筋１Ｄとを、中間傾斜部１Ｓを備えたＺトラス筋１Ｍで、上下に応力中心距離Ｌ１５を保って一体化固着した、荷重支持力の強大なＺ筋１を断熱層３Ｂ内に貫通保持したものであるため、各Ｚ筋１を大間隔で配置してもコンクリート袖壁５の安全な支持が可能となり、自在な設計に基づく袖壁５の構築を可能とする。
しかも、壁Ｚ筋パネル３は、小型の単体品であって、工場生産で準備出来るため、均質、且つ安全な支持用部材として、製作、保管、搬送が容易であり、本発明の壁Ｚ筋パネル３を準備することにより、それぞれの施工現場で、共に、安全、且つ、均質な片持ち支持のコンクリート袖壁５の構築を可能とする。
従って、本発明の壁Ｚ筋パネル３は、本願請求項１の優れた外壁構造の経済的、合理的な構築を可能とし、該構築の普及を可能とする。
【発明を実施するための最良の形態】
【００４６】
〔鉄筋コンクリート袖壁の構造（図１、図２）〕
図１は、鉄筋コンクリート袖壁５を備えた外壁構造の一部切断斜視図であり、図２（Ａ）は図１の横断面図である。
コンクリート躯体ＣＦは、階高１ｈが２７００mmで、壁厚ＴＷが１８０mmの耐力壁としてのコンクリート外壁Ｗを備え、コンクリート外壁Ｗの外面は、厚さＴ３が７５mmの断熱層２Ｂと、厚さＴ２が１２mmの外装下地材（マグネシウムセメント板）２Ａ、との層着物である複合パネル２が外断熱に被覆し、鉄筋コンクリート袖壁５は、壁厚Ｔ５が１８０mmで、階高１ｈ（２７００mm）の無開口壁であり、奥行きＬＢが１５００mmであって、断熱層３Ｂによってコンクリート外壁Ｗと熱的に遮断され、且つ、コンクリート袖壁５内からコンクリート外壁Ｗ内に、断熱層３Ｂを貫通したＺ筋１群のみによって片持ち支持されたものである。
【００４７】
そして、Ｚ筋１は、図３に示す如く、階高１ｈ（標準：２７００mm）を三分割した高さ３ｈ（標準:９００mm）の断熱層３Ｂの中央に貫通保持され、断熱層３Ｂからの、一半のコンクリート側への突出部ＡＰと、他半の袖壁側への突出部ＢＰとを備え、１枚の断熱層３Ｂと、その上下中央部に貫通する１本のＺ筋１とで１枚の壁Ｚ筋パネル３を構成しており、図１のコンクリート袖壁５は、図３に示す如く、３枚の壁Ｚ筋パネル３を上下に接続し、等間隔に配置された３本のＺ筋により、階高１ｈが２７００mmの高さのコンクリート袖壁５を支持したものである。
【００４８】
〔Ｚ筋（図４）〕
図４（Ｃ）は、Ｚ筋１の正面図であり、図４（Ｄ）はＺ筋の要部拡大図である。
Ｚ筋１は、図４（Ｃ）に示す如く、コンクリート袖壁５の、引張応力負担用のＺ上端筋１Ｕと、圧縮応力負担用のＺ下端筋１Ｄとを、水平上辺部１Ｕ´、中間傾斜部１Ｓ及び水平下辺部１Ｄ´を備えたＺトラス筋１Ｍで、上下に応力中心距離Ｌ１５を保って溶接一体化固定したものである。
Ｚ筋１は、鉄筋コンクリート袖壁５を片持ち支持形態で支持する強度が必要であり、袖壁自体の固定荷重に風圧を加味して、Ｚ筋１の各構成棒鋼の径、長さを決定する必要があり、曲げモーメントＭの一般式：Ｍ＝ａｔ×ｆｔ×ｊに基づいて決定すれば良い。
ここで、ａｔは、引張鉄筋の断面積、ｆｔは、鉄筋棒鋼の許容引張応力度、ｊは、曲げ材の応力中心距離である。
【００４９】
上記一般式から明らかな如く、同一径の鉄筋棒鋼を採用しても、棒鋼の応力中心距離を保つのが支持力向上に極めて重要であるため、本発明にあっては、図４（Ｃ）の如く、Ｚトラス筋１Ｍで応力中心距離（Ｚ上端筋１ＵとＺ下端筋１Ｄとの軸心間距離）Ｌ１５を確保する。
そして、応力中心距離Ｌ１５は、Ｚトラス筋１Ｍの中間傾斜部１Ｓが４５°傾斜の条件、中間傾斜部１Ｓが断熱層３Ｂの幅全域に亘る条件、及び断熱層３Ｂの厚さＴＢが、複合パネル２の断熱層厚Ｔ３（７５mm）と同一厚である条件の下で決定出来、Ｚ上端筋１ＵとＺ下端筋１Ｄの間隔Ｌ１４を７５mmとすれば、厚さＴ３が７５mmの断熱層３Ｂ内に、Ｚトラス筋の４５°傾斜の中間傾斜部１Ｓが、幅Ｔ３の全域配置と出来る。
【００５０】
また、Ｚ筋１を構成する各鉄筋棒鋼の径、長さは、適用するコンクリート袖壁５に対する性能とコスト面から決定すれば良く、例えば、図１の、奥行きＬＢが１５００mm、厚さＴ５が１８０mmの袖壁５に、同径のＺ上端筋１ＵとＺ下端筋１Ｄとを、間隔Ｌ１４が７５mmで、径１６mmのＺトラス筋１Ｍの中間傾斜部１Ｓが４５°傾斜に一体化したＺ筋１を、９００mmの間隔（３ｈ）にＺ筋１本配置の場合、Ｚ上端筋１Ｕ及びＺ下端筋１Ｄとして、鉄筋径２２mmの採用の場合より、鉄筋径２５mmの採用の方が、Ｚ上端筋１Ｕでは５０mm、Ｚ下端筋１Ｄでは３０mm短縮出来るが、重量は１．５kg増加し、材料コストが高くなる。
【００５１】
勿論、２５mmの棒鋼は、強度面で６１％の余裕が生じ、２２mm棒鋼の強度余裕４９％より強度が向上し、コンクリート袖壁５の基端５ｂの変位量は、径２５mmの棒鋼も、径２２mmの棒鋼も、共に０．００１mmであるが、袖壁先端５ｔの変位量は、径２５mmの棒鋼の場合が０．３７６mm、径２２mmの棒鋼の場合は０．４９４mmとなり、変位は、径２５mm棒鋼で１／３２５８、径２２mmの棒鋼で１／２６８７となり、径２５mmの棒鋼を採用すれば、径２２mmの棒鋼の採用より、強度、変位性能は向上する。
また、袖壁５の風圧付加による影響は、風力３４ｍ／ｓでの計算であるが、安全率を加味して該風力の１．５倍で計算すれば、袖壁５の水平変位量は、径２５mmの棒鋼の場合、袖壁基端５ｂでは、０．１mm（径２２mmでは０．１６mm）、袖壁先端５ｔでは、１．８８mm（径２２mmでは３．０１mm）で変位は１／７５０（径２２mmでは１／４６８）となる。
【００５２】
以下、使用鉄筋棒鋼の径１９mm、径２２mm、径２５mmで、図１の袖壁５に適用する場合を試算比較すると次の通りである。
径１９mm        径２２mm        径２５mm  
Ｚ上端筋１Ｕの全長（mm）    １３００        １２００        １１５０  
Ｚ下端筋１Ｄの全長（mm）      ８２０          ７６０          ７３０  
重量（kg）                    ４．８          ６．０          ７．５  
出願時価格（円／個所）        ３０５          ３８１          ４７７  
強度の余裕                    ３１％          ４９％          ６１％  
Ｚ筋の数量（本）            ２．０６        １．５２        １．１７  
袖壁先端の変位量（mm）    ０．６６８      ０．４９４      ０．３７６  
袖壁基端の変位量（mm）    ０．００１      ０．００１      ０．００１  
変位                    １／１９８８    １／２６８７    １／３２５８  
風圧力による袖壁先端の
水平変位量（mm）            ５．４５        ３．０１        １．８８  
風圧力による袖壁基端の
水平変位量（mm）            ０．２９        ０．１６          ０．１  
変位                      １／２５８      １／４６８      １／７５０  
尚、Ｚトラス筋１Ｍは、全て同一異形棒鋼を、且つ、同一形態で採用する。
【００５３】
従って、本発明の図１の実施例の鉄筋コンクリート袖壁５は、奥行きＬＢが１５００mmで、厚さＴ５が１８０mm、高さが階高１ｈ（２７００mm）であるため、Ｚ筋１としては、該袖壁５内に３本等間隔（９００mm間隔）に配置するタイプとし、図４（Ｃ）の如く、Ｚ上端筋１Ｕとしては、長さＬ１０が１２００mm、径２２mmの異形棒鋼を、Ｚ下端筋としては、長さＬ１２が７６０mm、径２２mmの異形棒鋼を、Ｚトラス筋１Ｍとしては、中間傾斜部１Ｓが４５°傾斜で、断熱層３Ｂの厚さＴＢ（７５mm）に亘って傾斜し、水平上辺部１Ｕ´及び水平下辺部１Ｄ´が各８０mm、Ｚ字形状の高さＬ１４が７５mmに屈曲形成した、径１６mmの異形棒鋼を採用し、Ｚ上端筋１Ｕ及びＺ下端筋１Ｄの中央部で、Ｚトラス筋１Ｍの、水平上辺部１Ｕ´をＺ上端筋１Ｕの下面に、水平下辺部１Ｄ´をＺ下端筋の上面に当接し、両側面溶着による固着部ＺＵ，ＺＤで一体化し、次いで、Ｚ上端筋１Ｕ、Ｚ下端筋１Ｄ及びＺトラス筋１Ｍの外周全長に、防蝕性、付着性、断熱性に優れたエポキシ樹脂塗料（耐火コート下塗材:（株）エスケー化研、商品名）を、錆止め塗料１Ｂとして２回塗布し、断熱層３Ｂ内に位置させる部位には、更に、耐火塗料１Ａ（ＳＫ耐火コート：（株）エスケー化研、商品名）を塗布したＺ筋１を準備する。
【００５４】
〔壁Ｚ筋パネル３（図４）〕
図４（Ａ）は、壁Ｚ筋パネル３の全体斜視図であって、図４（Ｂ）は、壁Ｚ筋パネルの本体を構成するパネル形状の断熱層３Ｂの全体斜視図である。
断熱層３Ｂは、ＪＩＳＡ９５１１の発泡プラスチック系断熱板であって、厚さＴＢが７５mmで、外壁Ｗ被覆用に使用する複合パネル２の断熱層２Ｂと同材質、且つ、同厚とし、幅ＷＢは２００mmで、適用するコンクリート袖壁５の厚さＴ５（１８００mm）より２０mm広幅とする。
また、高さ３ｈは９００mmとし、階高１ｈ（２７００mm）と同高さのコンクリート袖壁５の高さの１／３とする。
また、断熱層３Ｂの上下左右中央部には、幅４０mm、上下長さ１３５mmの上下方向長孔を、Ｚ筋１の挿入用孔Ｈ１として穿設し、両側面３Ｌ，３Ｒ中央には、幅中央に、幅Ｘ３が３．５mm前後で、深さＹ３が４５mmのスリット溝３Ｇを、上下全長に亘って設ける。
【００５５】
そして、図７（Ｂ）に示す如く、幅７Ｗが、挿通用孔Ｈ１の幅４０mmより大（標準：５０mm）で、高さ７ｈが、挿通用孔Ｈ１の長さ１３５mmより大（標準：１５０mm）に用意した２〜３mm厚のプラスチック板の中央上部には、径２２mmのＺ上端筋１Ｕ挿通用円孔Ｈ２と、その下部には径１６mmのＺトラス筋１Ｍの水平上辺部１Ｕ´挿通用円孔Ｈ２´とを連続形態に、中央下部には、径２２mmのＺ下端筋１Ｄ挿通用円孔Ｈ３を、各円孔Ｈ２，Ｈ２´，Ｈ３共、挿通鉄筋１Ｕ，１Ｍ，１Ｄの径より若干（標準：３mm）大きく穿孔した座板７を、図４（Ａ）に示す如く、断熱層３Ｂの挿通用孔Ｈ１の一側面を閉止する形態に、断熱層３Ｂに貼着固定する。
【００５６】
次いで、Ｚ筋１を断熱層３Ｂに、挿通用孔Ｈ１の開口側から座板７の各挿通用円孔Ｈ２，Ｈ２´，Ｈ３を介して貫通し、Ｚ筋１が両側に突出部ＡＰ，ＢＰを等長に突出し、Ｚトラス筋１Ｍの中間傾斜部１Ｓが断熱層３Ｂの幅ＴＢ内に収まった状態で、カオウール（イソライト工業（株）、商品名）を挿通用孔Ｈ１内のＺ筋１周囲に充填し、カオウールと挿通用孔Ｈ１との隙間に、現場発泡ウレタンを注入充填する。
この場合、カオウールの充填、及び現場発泡ウレタンの注入充填に際しては、座板７がストッパー機能を奏し、座板７の挿通用円孔Ｈ２，Ｈ２´，Ｈ３と挿入鉄筋１Ｕ，１Ｍ，１Ｄとの隙間は現場発泡ウレタンで充填され、Ｚ筋１が断熱層３Ｂに貫通保持された壁Ｚ筋パネル３が得られる。
【００５７】
〔複合パネル２（図１、図５）〕
複合パネル２は、図１に示す如く、コンクリート外壁Ｗを外断熱被覆するものであり、厚さＴ２が１２mmで軽量（１０kg／ｍ２）のマグネシウムセメント板から成る外装下地材２Ａと、ＪＩＳＡ９５１１の発泡プラスチック系断熱材の厚さＴ２が７５mmの断熱層２Ｂとを層着した、厚さＴ１が８７mmのパネルであって、断熱層２Ｂの透湿抵抗より外装下地材２Ａの透湿抵抗を小とした透湿性外断熱パネルであり、該複合パネル２でコンクリート外壁Ｗを外断熱被覆すれば、透湿抵抗はコンクリート外壁Ｗ→断熱層２Ｂ→外装下地材、と順次低下して、水蒸気をコンクリート壁Ｗから外方へ放出可能とするパネルである。
【００５８】
〔外壁Ｗと袖壁５の構築（図５、図６）〕
図５（Ａ）は、図２（Ａ）に示す、出隅部のコンクリート外壁Ｗから袖壁５を突出させる外壁Ｗと袖壁５との型枠組み状態の横断面図であり、図６（Ａ）は図５（Ａ）の型枠にコンクリート打設し、型枠解体後の要部拡大説明図であり、図６（Ｂ）は、図６（Ａ）の矢印Ｂ視図である。
型枠組みは、まず外壁型枠ＦＷを、図５（Ａ）に示す如く、複合パネル２を、外装下地材２Ａを外面にして捨型枠に用いて外側型枠Ｆ０とし、慣用の内側型枠Ｆ１と共に、外壁型枠ＦＷを立設する。
この場合、両側の複合パネル２の、壁Ｚ筋パネル３の断熱層３Ｂとの当接面２Ｌ，２Ｒでは、予め、図６（Ａ）の如く、断熱層２Ｂを１０mm入り込んだ形態とし、且つ、当接面にスリット溝２Ｇ，２Ｇ´を配置しておく。
次いで、壁Ｚ筋パネル３（高さ９００mm）を順次下方から上方へ断熱層３Ｂの連接形態に立設する。
【００５９】
この場合、断熱層３Ｂの側面のスリット溝３Ｇと、両側の複合パネル２のスリット溝２Ｇ，２Ｇ´とに亘って接合板３Ａを嵌入して、壁Ｚ筋パネル３の断熱層３Ｂと、複合パネル２の断熱層２Ｂとの整合状態を確保し、図６（Ａ）に示す如く、幅ＴＢが２００mmの断熱層３Ｂの両側の各１０mmが、複合パネル２の外装下地材２Ａに掛かった状態に配置する。
また、各壁Ｚ筋パネル３の上下接合部にあっては、図６（Ａ），（Ｂ）に示す如く、それ自体慣用のセパレータ１０Ｈ´、ＫＰコン１１Ａ、アンカー１１Ｂを用い、断熱層３Ｂの接続部をＫＰコン１１Ａで挟着保持する。
そして、外壁型枠ＦＷ、及び袖壁型枠Ｆ５は、慣用の、型枠構築手段の縦端太１０Ｂ、横端太１０Ｃ、セパレータ１０Ｈ、ＫＰコン１０Ｋ、リブ座金１０Ｌ等により型枠組みする。
また、コンクリート袖壁型枠Ｆ５内での縦筋８Ａ、横筋８Ｂ、幅止め筋８Ｃによる配筋は、袖壁型枠Ｆ５内での完結型とし、袖壁型枠Ｆ５と外壁型枠ＦＷとは、壁Ｚ筋パネルのＺ筋１のみを連通させる。
【００６０】
尚、この場合、壁Ｚ筋パネル３の上下接続部を挟着確保した、セパレータ１０Ｈ´、ＫＰコン１１Ａ、アンカー１１Ｂは、袖壁５に対する支持力が無く、各ＫＰコン１１Ａで熱橋が遮断されている。
そして、外壁型枠ＦＷ内にコンクリート打設し、次いで袖壁型枠Ｆ５内にコンクリート打設する。
この場合、壁Ｚ筋パネル３の断熱層３Ｂは、外壁型枠ＦＷ側からのコンクリート流動圧を受けるが、断熱層３Ｂの両端３Ｌ，３Ｒが上下全長に亘って、複合パネル２の外装下地材２Ａに１０mm掛かっていること、断熱層３Ｂと断熱層２Ｂとに亘って接合板３Ａが嵌合していること、及び３枚の断熱層３Ｂの上下接続部はＫＰコン１１Ａで挟着されて袖壁型枠Ｆ５内に保持されていることにより、断熱層３Ｂ、即ち、壁Ｚ筋パネル３は変位することなく、コンクリート外壁Ｗとコンクリート袖壁５との間で、適正位置を保って打設コンクリートと一体化する。
【００６１】
従って、型枠ＦＡ，Ｆ５を解体すれば、コンクリート壁Ｗは、複合パネル２によって、透湿性の外断熱に被覆され、鉄筋コンクリート袖壁５は、各階毎のコンクリート袖壁５が自己完結形態の配筋を備えて、各階のコンクリート袖壁５毎に、Ｚ筋１群によってコンクリート外壁Ｗに片持ち支持されたものとなる。
そして、各鉄筋コンクリート袖壁５は、コンクリート外壁Ｗに対して、複合パネルの断熱層２Ｂと同材料で同厚の断熱層３Ｂによって熱的に遮断されたものとなり、コンクリート袖壁５からコンクリート外壁Ｗ側、即ち、コンクリート躯体ＣＦ側、への熱橋作用は、外気→袖壁のコンクリート→Ｚ筋→外壁のコンクリート→居室内のルートのみとなる。
【００６２】
〔その他〕
壁Ｚ筋パネル３のＺ筋１として、図２（Ｂ）に示す如く、コンクリート躯体内固着用の突出部ＡＰを屈曲形態突出部としたものを採用すれば、Ｚ筋突出部ＡＰのコンクリート壁Ｗの壁幅ＴＷ（標準：１８０mm）内での一体化固着が可能となり、コンクリート袖壁５の突設位置が自由となり、コンクリート袖壁５の設計の自由度が向上する。
この場合、突出部ＡＰ先端に定着板１Ｃを固定しておけば、屈曲形態の突出部の固着力が増加し、屈曲突出部ＡＰの短寸化も可能となる。
【００６３】
また、壁Ｚ筋パネル３は、実施例では、階高１ｈの袖壁に対し三分割形態としたが、袖壁５の高さと等高の断熱層３Ｂに、必要複数本のＺ筋１を配置したものとしても、本発明の目的は達成出来る。
この場合は、断熱層３Ｂが上下長尺物となるため、外壁型枠ＦＷ及び袖壁型枠Ｆ５内の配筋時に、上下横筋の適所に、前後間隔保持用のスペーサー片を配置すれば、各Ｚ筋１の配筋との堅結による位置確保と相俟って、長尺の壁Ｚ筋パネル３の位置確保が可能となる。
【００６４】
また、実施例では、袖壁支持用のＺ筋１として、Ｚ上端筋１ＵとＺ下端筋１ＤとをＺトラス筋１Ｍでトラス構造に組立てたＺ筋１を用いたが、Ｚ筋１として、必要径及び必要長さを備えた１本の棒鋼形態のＺ筋を必要本数配置しても良い。
この場合は、単棒のＺ筋は多くの本数（標準：トラス構造Ｚ筋１の本数の３倍）を配置することとなり、配置型組み作業が煩雑となるが、壁Ｚ筋パネルの製作が、簡便、且つ安価となる。
【００６５】
また、実施例では、外壁被覆用の外断熱パネルとして、透湿性複合パネル２を採用したが、本件出願人が開発した、特許第３５２６５６２号（特開２００３−３５０３６号）の上下方向通気層を備えたセメント板と断熱層とを層着した断熱複合パネルをコンクリート外壁Ｗの被覆に適用しても良い。
この場合は、断熱複合パネルの通気層自体が内部結露抑制機能を生ずるため、複合パネルの外面のセメント板（外装下地材）への表装材の選択の自由度が向上する。
【図面の簡単な説明】
【００６６】
【図１】本発明外壁構造の一部切欠斜視図である。
【図２】本発明の袖壁と外壁の関係を示す横断面図であって、（Ａ）は実施例図、（Ｂ）は変形例図である。
【図３】本発明の壁Ｚ筋パネルの配置形態を示すもので、図２（Ａ）のＣ−Ｃ線縦断面図である。
【図４】本発明の壁Ｚ筋パネルの説明図であって、（Ａ）は、全体斜視図、（Ｂ）は、断熱層の斜視図、（Ｃ）は、Ｚ筋の正面図、（Ｄ）は、（Ｄ）の部分拡大図である。
【図５】本発明の型枠組みの説明図であって、（Ａ）は横断面図、（Ｂ）は、（Ａ）の矢印Ｂ視部分図、（Ｃ）は、（Ａ）の矢印Ｃ視部分図である。
【図６】壁Ｚ筋パネルの配置状態説明図であって、（Ａ）は要部横断面図、（Ｂ）は要部縦断面図である。
【図７】壁Ｚ筋パネルの説明図であって、（Ａ）は要部縦断面図、（Ｂ）は座板の斜視図である。
【図８】従来例図であって、（Ａ）は、従来例１の横断面図、（Ｂ）は、従来例２の横断面図、（Ｃ）は、従来例１，２に共通する基礎構造説明図である。
【符号の説明】
【００６７】
１      Ｚ筋
１Ａ    耐火塗料
１Ｂ    錆止め塗料
１Ｃ    定着板
１Ｄ    Ｚ下端筋
１Ｄ´  水平下辺部
１ｈ    階高
１Ｍ    Ｚトラス筋
１Ｓ    中間傾斜部
１Ｕ    Ｚ上端筋
１Ｕ´  水平上辺部
２      複合パネル
２Ａ    外装下地材（マグネシウムセメント板）
２Ｂ，３Ｂ    断熱層（発泡プラスチック系断熱層）
２Ｇ，２Ｇ´，３Ｇ    スリット溝
３      壁Ｚ筋パネル
３Ａ    接合板
３Ｅ    断熱耐火材（耐火被覆材、カオウール）
３ｈ    パネル高さ
５      鉄筋コンクリート袖壁（コンクリート袖壁、袖壁）
５ｂ    袖壁基端
５ｔ    袖壁先端
７      座板
８      配筋
８Ａ    縦筋
８Ｂ    横筋
８Ｃ    幅止め筋
１０Ａ，１０Ａ´  型板
１０Ｂ    縦端太
１０Ｃ    横端太
１０Ｈ，１０Ｈ´    セパレータ
１０Ｋ，１１Ａ    ＫＰコン
１０Ｋ´  Ｐコン
１０Ｌ    リブ座金
１１Ｂ    アンカー
Ａ      居住部 
ＡＰ，ＢＰ    突出部（Ｚ筋突出部）
Ｂ      バルコニー
ＣＦ    コンクリート躯体
Ｆ０    外壁外側型枠（外側型枠）
Ｆ１    外壁内側型枠（内側型枠）
Ｆ５    袖壁型枠
ＦＷ    外壁型枠
Ｈ１    挿通用孔
Ｈ２，Ｈ２´，Ｈ３  挿通用円孔
Ｊ３    接続部（上下接続部）
Ｌ１５  応力中心距離
Ｐ      パラペット
ＳＡ    居住部床スラブ
ＳＢ    バルコニー床スラブ
Ｓｆ，Ｓｆ´    コンクリート床表面
Ｗ      コンクリート外壁（外壁、コンクリート壁）
Ｗｆ    外壁表面
ＺＤ，ＺＵ    固着部
【図１】
2007262667.tif 000003
【図２】
2007262667.tif 000004
【図３】
2007262667.tif 000005
【図４】
2007262667.tif 000006
【図５】
2007262667.tif 000007
【図６】
2007262667.tif 000008
【図７】
2007262667.tif 000009
【図８】
2007262667.tif 000010